(57)【要約】【課題】ストレスのかからない姿勢で洗髪或いは入浴を楽しむことができ、特に洗髪にかかる時間をリラックスできる時間に変えることができ、心地よい刺激でリラクゼーション効果を増大させること。【解決手段】浴槽１の底面１ｂに背もたれ部２を形成し、背もたれ部２の延長上における浴槽１の上端部分に入浴者の首６を保持する保持凹所５を形成し、保持凹所５に隣接して浴槽１につかった入浴者の頭７を収容する洗髪槽１１を設け、この洗髪槽１１に対して、洗髪時以外の入浴時に入浴者の頭７を洗髪槽１１よりも上方位置で支持するための入浴用枕を着脱自在に装着できるようにした洗髪機能を備えた浴槽装置である。【選択図】図１
2007222415.tif 000002
【特許請求の範囲】
【請求項１】
浴槽の短辺側に洗髪槽を連設し、浴槽につかった入浴者の頭を洗髪槽に収容した状態で洗浄水を入浴者の頭に吐水して自動的に洗髪を行なうことができる洗髪機能を備えた浴槽装置において、上記浴槽の底面に、入浴者の背中を斜めに支持する背もたれ部を形成し、該背もたれ部の延長上における浴槽の上端部分に入浴者の首を保持するための保持凹所を形成すると共に、保持凹所に隣接して上記洗髪槽を設け、上記洗髪槽に対して、洗髪時以外の入浴時に入浴者の頭を洗髪槽よりも上方位置で支持するための入浴用枕を着脱自在に装着できるようにしたことを特徴とする洗髪機能を備えた浴槽装置。
【請求項２】
上記洗髪槽に、洗髪時における入浴者の顔に洗浄水が飛散するのを防止するためのフードを出し入れ自在に収納するフード収納部を設けたことを特徴とする請求項１記載の洗髪機能を備えた浴槽装置。
【発明の詳細な説明】
【技術分野】
【０００１】
本発明は、洗髪機能を備えた浴槽装置に関するものである。
【背景技術】
【０００２】
従来より、ジェットバスやミストサウナにより、リラックスして入浴することができるが、頭を洗うという洗髪行為は依然として省くことができず、特に女性は長い頭髪の手入れに手間がかかり、入浴中において洗髪に長い時間を浪費させられているのが現状である。
【０００３】
そこで、洗髪に要する時間をリラックスできる時間に変えられる入浴・洗髪装置が提案されている（例えば、特許文献１参照）。すなわち図５に示すように、浴槽１の上端部分に入浴者の首を保持するための保持凹所５を形成すると共に、保持凹所５に隣接して入浴者の頭７を収容する洗髪槽１１を有しており、洗髪を行なう際は、入浴者が洗髪槽１１に対して背を向けた状態で浴槽１につかって仰向けとなり、入浴者の首を保持凹所５に入れて、頭７を洗髪槽１１内に収容した状態でドーム形フード５０を被せ、洗髪槽１１に設けた複数のノズル孔５１から洗浄水を吐水させて自動洗髪を行なうようにしている。
【０００４】
ところが上記特許文献１にみられる入浴・洗髪装置にあっては、洗髪時以外の入浴時にも、入浴者の頭７が洗髪槽１１に収容された仰向け状態となるため、入浴者は顔９を略前向きにした楽な姿勢で入浴することができず、リラックス効果が得られないばかりか、仰向き姿勢によって浴槽１内での動作に制限を受けたり、浴槽１内にずり落ちたりする心配もある。
【特許文献１】特開２００４−１７３９６９号公報
【発明の開示】
【発明が解決しようとする課題】
【０００５】
本発明は上記の従来の問題点に鑑みて発明したものであって、ストレスのかからない姿勢で洗髪或いは入浴を楽しむことができ、特に洗髪にかかる時間をリラックスできる時間に変えることができ、心地よい刺激でリラクゼーション効果を増大させることができる洗髪機能を備えた浴槽装置を提供することを課題とするものである。
【課題を解決するための手段】
【０００６】
前記課題を解決するために本発明は、浴槽１の短辺１ａ側に洗髪槽１１を連設し、浴槽１につかった入浴者の頭７を洗髪槽１１に収容した状態で洗浄水を入浴者の頭７に吐水して自動的に洗髪を行なうことができる洗髪機能を備えた浴槽装置において、上記浴槽１の底面１ｂに、入浴者の背中を斜めに支持する背もたれ部２を形成し、該背もたれ部２の延長上における浴槽１の上端部分に入浴者の首６を保持するための保持凹所５を形成すると共に、保持凹所５に隣接して上記洗髪槽１１を設け、上記洗髪槽１１に対して、洗髪時以外の入浴時に入浴者の頭７を洗髪槽１１よりも上方位置で支持するための入浴用枕１２を着脱自在に装着できるようにしたことを特徴としている。
【０００７】
このような構成とすることで、洗髪時には浴槽１の背もたれ部２に入浴者の背中をもたれさせた快適なリクライニング姿勢を保持すると共に、入浴用枕１２を洗髪槽１１から取り外した状態で、入浴者の首６を保持凹所５に入れて保持し且つ頭７を洗髪槽１１内に収容することで、頭髪に洗浄水を吐水させて自動洗髪を行なう。従って、浴槽１に身体を安定保持でき、ストレスのかからない姿勢で洗髪を楽しむことができる。一方、洗髪時以外のときに入浴する場合は、洗髪槽１１に入浴用枕１２を装着して浴槽１につかる。このとき、洗髪槽１１が入浴用枕１２で隠され、該入浴用枕１２上に入浴者の頭７を支持することで、入浴者は顔９を略前向きに起こした楽な姿勢でリラックスして入浴できる。しかも上記洗髪時の場合と同様、浴槽１に身体を安定保持でき、ストレスのかからない姿勢で快適な入浴ができるようになる。また、洗髪槽１１を利用して入浴用枕１２を保持できるので、入浴用枕１２を吸盤等の固定具を用いて固定する必要もない。
【０００８】
また、上記洗髪槽１１に、洗髪時における入浴者の顔９に洗浄水が飛散するのを防止するためのフード１３を出し入れ自在に収納するフード収納部１４を設けるのが好ましく、この場合、洗髪時にフード１３を引き出して洗髪水が顔９にかからないようにすることで、快適な洗髪が実行できると共に、洗髪時以外のときはフード１３を邪魔にならないように収納でき、使い勝手が良くなる。
【発明の効果】
【０００９】
本発明に係る洗髪機能を備えた浴槽装置は、洗髪時には洗髪槽から入浴用枕を取り外すことで、洗髪槽で自動洗髪を実行でき、洗髪時以外の入浴時には、洗髪槽に入浴用枕を装着することで入浴者の顔を略前向きに起こした楽な姿勢で快適な入浴ができる。さらに、浴槽の底面に入浴者の背中を斜めに支持する背もたれ部を形成したことにより、洗髪時或いは入浴時のいずれにおいても浴槽内で快適なリクライニング姿勢を保持しながら洗髪或いは入浴を楽しむことができ、この結果、ストレスのかからない姿勢で洗髪及び入浴を楽しむことができ、特に洗髪にかかる時間をリラックスできる時間に変えることができるので、心地よい刺激でリラクゼーション効果を増大させることができるものである。
【発明を実施するための最良の形態】
【００１０】
以下、本発明を添付図面に示す実施形態に基いて説明する。
【００１１】
本発明の洗髪機能を備えた浴槽装置は、ユニットバスルームに設置され、浴槽１の短辺１ａ側に洗髪装置１０を連設し、入浴者の頭髪に洗浄水を噴射して自動的に洗髪を行なうと共に、洗髪以外のときには入浴用枕１２を用いて入浴するものである。
【００１２】
上記浴槽１は、図１に示すように、底面１ｂと、一対の短辺方向側壁面１ｃと、一対の長手方向側壁面１ｄとにより構成されている。ここで、一方の短辺方向側壁面１ｃが頭７側が位置する頭配置部となり、他方の短辺方向側壁面１ｃが入浴者の足先側が位置する足先配置部となる。浴槽１の底面１ｂには、頭配置部側から足先配置部側に向かって、入浴者の背中を頭７側が上になるように斜めに支持するための背もたれ部２と、足８を略く字状に曲げて乗せる側面視略三角形状の足乗せ部３と、足裏及び踵を支持する足掛け部４とがこの順に形成されている。
【００１３】
上記浴槽１の背もたれ部２の延長上における上端部分には、洗髪時に入浴者の首６を保持するための保持凹所５が形成されている。保持凹所５は上方に開口する略Ｕ字状に凹んでおり、その深さｄは、入浴者が無理の無い仰向け姿勢がとれ且つ入浴者の仰向けの顔９が浴槽１の水面よりも高くなるような深さ寸法とされる。
【００１４】
一方、洗髪装置１０は、入浴者の頭７を収容できるように上方が開放された略ボウル形状の洗髪槽１１と、洗髪槽１１内に洗浄水を供給するための給湯・給水管２３と、洗浄水を外部に排出する排水管１７と、入浴者の顔９に洗浄水が飛散するのを防止するためのフード１３とを備えている。
【００１５】
洗髪槽１１は浴槽１の保持凹所５に隣接して設けられている。洗髪槽１１には排水孔１５（図４）が開口しており、その下方には洗浄水を受けるためのシンク１６が設けられている。シンク１６は排水管１７に連通しており、洗髪槽１１からシンク１６内に流下した洗浄水が排水管１７を通って外部に排出されるようになっている。
【００１６】
上記フード１３は、洗髪槽１１よりも後方Ｂで洗髪槽１１よりも上方に設けたハウジング１８に設けたフード収納部１４に出し入れ自在に収納されている。本例のフード１３は、側面視扇形状で且つ前後方向に開口した短筒状に形成されており、フード１３の両下端部１３ｃがフード収納部１４の両側面に対して水平軸３０回りに回転自在に支持されている。図２（ｂ）に示す例では、フード１３の外層１９と内層２０との間が給水路２１となった扁平袋状をしており、内層２０の複数箇所に給水路２１に連通するノズルヘッド２２が取り付けられている。給水路２１は洗髪槽１１内に配管された給湯・給水管２３に連通しており、給湯・給水管２３から給水路２１に供給される洗浄水がノズルヘッド２２から入浴者の頭７に噴射するようになっている。また本例のフード１３は、互いに繋がった多関節タイプの複数枚（本例では３枚）のフード片１３Ａ〜１３Ｃで構成され、内側フード片１３Ａの内面に複数のノズルヘッド２２が設けられている。なお、中間フード片１３Ｂ或いは外側フード片１３Ｃの内面にノズルヘッド２２を設けてもよい。さらに図１のように洗髪槽１１の後壁面側にも給湯・給水管２３に連通する複数のノズルヘッド２２´を設けてもよい。
【００１７】
上記洗髪槽１１には入浴用枕１２が装着可能とされる。この入浴用枕１２は、洗髪槽１１に着脱自在に装着される装着部１２Ａと、入浴者の頭７を支持する枕部１２Ｂとで一体形成されている。
【００１８】
装着部１２Ａは、図４（ａ）に示すように、ボウル形状の洗髪槽１１と略同じ断面形状に形成されており、装着部１２Ａの上面部２４は略平坦面に形成されていると共に上面部２４の外周縁には、ずれ止め用つば部２５が突設されており、つば部２５が洗髪槽１１周囲のリム面１１ａに当たることで、装着部１２Ａを洗髪槽１１に対して傾かずに安定した姿勢で保持できるようにしてある。
【００１９】
枕部１２Ｂは、装着部１２Ａを洗髪槽１１に嵌め込んだ状態で枕部１２Ｂの前面２６が洗髪槽１１よりも上方位置に配置されるものである。本例では図４（ｂ）に示すように、枕部１２Ｂの前面２６は保持凹所５よりも上方位置で且つ背もたれ部２と略平行な方向に傾斜しており、この枕部１２Ｂの前面２６に入浴者の後頭部をあてがうことにより、入浴者は顔９を略前向きに起こした楽な姿勢をとることができる。なお、入浴用枕１２の材料の一例として軟質プラスチック、ゴム組成物、プラスチック発泡体などが挙げられるが、勿論これらに限定されるものではない。
【００２０】
次に、洗髪時には、入浴用枕１２を洗髪槽１１から取り外した状態で、入浴者は洗髪槽１１に対して背を向けた状態で浴槽１につかる。このとき、浴槽１の背もたれ部２に背中を支持し、足８を足乗せ部３に乗せ、足裏及び踵を足掛け部４に当てることで浴槽１内部で身体を楽なリクライニング姿勢で安定させることができる。この状態で、入浴者の首６を保持凹所５に入れ、頭７を洗髪槽１１内に収容して仰向け姿勢となり、その後、フード１３を引き出す。このとき、図１に示すように、内側フード片１３Ａを斜め前下方Ｅに引き出すと、内側フード片１３Ａに繋がって中間フード片１３Ｂ及び外側フード片１３Ｃがそれぞれ引き出される。このとき図２（ｂ）に示す内側フード片１３Ａの凹所１３ａが入浴者の額に装着したヘアキャップ２９に当たり且つ内側フード片１３Ａの両下端部１３ｂが洗髪槽１１周囲のリム面１１ａに当たることにより、入浴者の頭７の周囲を各フード片１３Ａ〜１３Ｃにて隙間なく覆うことができる。この状態でノズルヘッド２２からの洗浄水を図３の異なる複数方向Ｆ１、Ｆ２、Ｆ３から入浴者の頭７に噴射させて自動洗髪を行なう。このとき、給湯・給水管２３の途中に例えばポンプ（図示せず）を設け、ポンプによって所定の圧力及び脈動を加えながら洗浄水をノズルヘッド２２から吐出させるようにしてもよい。また、洗髪槽１１内にシャンプー液やトリートメント液を供給するタンク（図示せず）を設け、シャンプー液或いはトリートメント液が混ざった洗浄水（温水）をノズルヘッド２２から噴出させるようにしてもよい。さらに、温風を供給する送風装置（図示せず）を設け、洗髪後にノズルヘッド２２から温風を噴出させて頭髪を乾かすようにしてよい。また、自動洗髪の洗浄パターンとして、例えば、温水→シャンプー液→温水→リンス液→温水→すすぎ洗浄→温風があり、これを操作手段で任意に選択実行できるようにしてもよい。
【００２１】
しかして、洗髪時には、浴槽１の底面１ｂに設けた背もたれ部２、足乗せ部３、足掛け部４によって、入浴者の身体が安定するので、仰向け姿勢でも滑り込み現象が起きず、女性に限らず、高齢者や体の不自由な人でも快適な姿勢を保持しながら洗髪を自動的に行なうことができる。しかも浴槽１に身体を安定保持でき、ストレスのかからない姿勢で洗髪を楽しめるので、洗髪にかかる時間をリラックスできる時間に変えることができ、結果、従来の単なる仰向け姿勢で浴槽１につかりながら洗髪を行なう場合と比較して、全く異なる心地よい刺激でリラクゼーション効果を増大させることができる。
【００２２】
また、フード１３によって洗髪水が顔９にかからず快適な洗髪が実行できると共に、フード１３内面にノズルヘッド２２を設けたので、洗浄水やシャンプー液等が周囲に飛散するのを防止しながら、洗浄水で頭髪全体を包み込むようにして短時間で洗髪ができると共に、各ノズルヘッド２２から入浴者の頭７表面までの間隔がほぼ同じになるので、頭７全体にわたって噴射水圧、温度で洗浄水を浴びせることができ、爽快感が十分に得られ、また水圧に強弱をつけることで頭をもみ洗う感じを出すことができ、洗髪効果をより一層高めることができる。
【００２３】
洗髪後にはフード１３を仕舞う。本例では各フード片１３Ａ〜１３Ｃをフード収納部１４内に向かって押し込むことで、図２（ａ）に示すように、各フード片１３Ａ〜１３Ｃが互いに重なり合った状態となり、フード収納部１４内にコンパクトに収納できるようになる。
【００２４】
次に、洗髪時以外の入浴時には、図４に示すように、洗髪槽１１に入浴用枕１２を装着する。これにより洗髪槽１１が入浴用枕１２で隠され、枕部１２Ｂ上に入浴者の頭７を支持することで、入浴者は洗髪槽１１よりも高い位置に頭７を上げることができ、これにより顔９を略前向きに起こした楽な姿勢をとることができる。しかも上記洗髪時の場合と同様、浴槽１内にリクライニング姿勢で楽に入浴できるようになる。また洗髪槽１１を利用して入浴用枕１２を保持できるので、入浴用枕１２を吸盤等の固定具を用いて固定する必要がなく、そのうえ入浴用枕１２の装着部１２Ａのつば部２５が洗髪槽１１周囲のリム面１１ａに当たることで、装着部１２Ａを洗髪槽１１内にぴったりと嵌め込んだ状態で安定保持できるため、浴槽１の満水時や浴槽１から溢れる洗浄水で入浴用枕１２が流されたりすることもなく、使い勝手が良好となる。
【００２５】
本発明にかかる洗髪機能を備えた浴槽装置は、身体の上下肢に障害や疾病を持つ患者の洗髪を行なうためにも有効に使用できる。
【図面の簡単な説明】
【００２６】
【図１】本発明の一実施形態に用いる洗髪機能を備えた浴槽装置の側面図である。
【図２】（ａ）は同上のフードの収納状態を説明する斜視図、（ｂ）は内側フードの斜視図、（ｃ）は内側フードの正面断面図である。
【図３】同上の複数のノズルヘッドから入浴者の頭に洗浄水を吐水させる場合の説明図である。
【図４】（ａ）は同上の洗髪槽から入浴用枕を取り外した状態の斜視図、（ｂ）は洗髪槽に装着した入浴用枕に入浴者の頭を乗せた状態の説明図である。
【図５】従来例の入浴・洗髪装置の側面図である。
【符号の説明】
【００２７】
１  浴槽
１ａ  短辺
１ｂ  底面
２  背もたれ部
５  保持凹所
６  首
７  頭
９  顔
１１  洗髪槽
１２  入浴用枕
１３  フード
【図１】
2007222415.tif 000003
【図２】
2007222415.tif 000004
【図３】
2007222415.tif 000005
【図４】
2007222415.tif 000006
【図５】
2007222415.tif 000007